(57)【要約】      （修正有）【課題】被施療者が操作を快適に行うことができるマッサージ機を提供する。【解決手段】マッサージ機１００は、被施療者が座る座部１と、座部の左右方向外方に配置される側壁部２と、を備える。側壁部は、座部に座る被施療者の特定の身体部位を施療する施療部２１と、施療部の左右方向外方又は内方に固定配置される操作部２２と、を有する。【選択図】図１
2020203026.tif 000002
【特許請求の範囲】
【請求項１】
被施療者が座る座部と、
前記座部の左右方向外方に配置される側壁部と、
を備え、
前記側壁部は、
前記座部に座る被施療者の特定の身体部位を施療する施療部と、
前記施療部の左右方向外方又は内方に固定配置される操作部と、
を有する、マッサージ機。
【請求項２】
前記特定の身体部位は前腕であり、
前記操作部は、前記側壁部の上面に配置される、請求項１に記載のマッサージ機。
【請求項３】
前記施療部は、左右方向に開閉可能に設けられる、請求項２に記載のマッサージ機。
【請求項４】
前記側壁部は、左右方向内方に向かうにつれて高さが低くなる傾斜部を上面に有し、
前記操作部は、前記傾斜部に配置されている、請求項２又は３に記載のマッサージ機。
【請求項５】
前記操作部は、自機が外部から受付可能な全操作のうちの一部の操作を受付可能に設けられ、
前記操作部とは別の移動可能に設けられる操作装置により操作可能に設けられる、請求項１から４のいずれか１項に記載のマッサージ機。
【請求項６】
前記操作装置は、携帯端末であり、
前記携帯端末と無線通信を行う通信部を更に備える、請求項５に記載のマッサージ機。
【発明の詳細な説明】
【技術分野】
【０００１】
本発明は、椅子型のマッサージ機に関する。
【背景技術】
【０００２】
従来、被施療者等による外部からの操作を受け付ける１つの可動式の操作装置を備える椅子型のマッサージ機が知られている。
【０００３】
例えば、特許文献１に開示される椅子型のマッサージ機は、リモートコントローラを、背凭れ部に連結して支持する連結支持部を備える。連結支持部は、湾曲することが可能なフレキシブルアームで構成されている。
【０００４】
また、特許文献２に開示される椅子型のマッサージ機は、座部の基台から外部に延びる支持部材の上端に設けられる操作装置を備える。操作装置は、姿勢変更機構を介して支持部材に設けられている。操作装置は、姿勢変更機構により任意の方向に傾けることができる。
【先行技術文献】
【特許文献】
【０００５】
【特許文献１】特開２００４−３３３６１号公報
【特許文献２】特開２０１８−１４９０９６号公報
【発明の概要】
【発明が解決しようとする課題】
【０００６】
特許文献１や特許文献２のように、操作装置を動かすことができると、被施療者は、操作装置を見やすい方向に移動したり、手に届きやすい位置に移動したりすることができるので便利である。
【０００７】
しかしながら、例えば特許文献１や特許文献２の構成では、被施療者は、操作装置の位置が不適切である度に操作装置の位置を設定する必要があり、当該設定作業を煩わしく感じる可能性がある。一方で、被施療者による操作装置の位置の設定が省略されると、施療開始後に操作装置が邪魔に感じられたり、操作が行い難く感じられたりする。
【０００８】
本発明は、上記の状況に鑑み、被施療者が操作を快適に行うことができるマッサージ機を提供することを目的とする。
【課題を解決するための手段】
【０００９】
本明細書中に開示されているマッサージ機は、被施療者が座る座部と、前記座部の左右方向外方に配置される側壁部と、を備え、前記側壁部は、前記座部に座る被施療者の特定の身体部位を施療する施療部と、前記施療部の左右方向外方又は内方に固定配置される操作部と、を有する構成（第１の構成）である。
【００１０】
上記第１の構成のマッサージ機において、前記特定の身体部位は前腕であり、前記操作部は、前記側壁部の上面に配置される構成（第２の構成）にしてもよい。
【００１１】
上記第２の構成のマッサージ機において、前記施療部は、左右方向に開閉可能に設けられる構成（第３の構成）にしてもよい。
【００１２】
上記第２又は第３の構成のマッサージ機において、前記側壁部は、左右方向内方に向かうにつれて高さが低くなる傾斜部を上面に有し、前記操作部は、前記傾斜部に配置されている構成（第４の構成）にしてもよい。
【００１３】
上記第１から第４いずれかの構成のマッサージ機において、前記操作部は、自機が外部から受付可能な全操作のうちの一部の操作を受付可能に設けられ、前記操作部とは別の移動可能に設けられる操作装置により操作可能に設けられる構成（第５の構成）にしてもよい。
【００１４】
上記第５の構成のマッサージ機において、前記別の操作装置は、携帯端末であり、前記携帯端末と無線通信を行う通信部を更に備える構成（第６の構成）にしてもよい。
【発明の効果】
【００１５】
本明細書中に開示されているマッサージ機によれば、被施療者はマッサージ機の操作を快適に行うことができる。
【図面の簡単な説明】
【００１６】
【図１】本発明の実施形態に係るマッサージ機の概略斜視図
【図２Ａ】右腕用の前腕施療部の周辺を示す概略平面図
【図２Ｂ】右腕用の前腕施療部の周辺を示す概略平面図
【図３】操作部の周辺を示す概略平面図
【図４】操作部が設けられる右側の側壁部の一部を前方から見た概略平面図
【図５】本発明の実施形態に係るマッサージ機の構成を示すブロック図
【図６】操作部の構成を示す概略図
【発明を実施するための形態】
【００１７】
以下、本発明の例示的な実施形態について、図面を参照しながら詳細に説明する。
【００１８】
図１は、本発明の実施形態に係るマッサージ機１００の概略斜視図である。図１に示すように、マッサージ機１００は、座部１と、側壁部２とを備える。マッサージ機１００は、背部３と、基台部４と、足載せ部５とを更に備える。
【００１９】
以下の説明において、座部１に着座した被施療者から見て前側（正面側）を「前側」といい、座部１に着座した被施療者から見て後側（背面側）を「後側」という。また、座部１に着座した被施療者から見て上側（頭側）を「上側」といい、座部１に着座した被施療者から見て下側（脚側）を「下側」という。また、座部１に着座した被施療者から見て右側を「右側」といい、座部１に着座した被施療者から見て左側を「左側」という。なお、背部３は、後方に倒れるリクライニング機能を備えてもよいが、背部３がリクライニング機能にて後方に倒れていない所定位置にある場合を前提として、前後、上下、左右の表現を用いる。また、左右方向内方は、座部１を上から平面視した場合における左右方向の中心線に近づく方向を意味する。左右方向外方は、座部１を上から平面視した場合における左右方向の中心線から離れる方向を意味する。
【００２０】
＜１．マッサージ機１００の概要＞
座部１は、マッサージ機１００の被施療者が座る部分である。詳細には、座部１は、被施療者の臀部及び太腿部を支持する。なお、座部１には、膨縮可能な膨縮袋が内蔵されてよい。膨縮袋は、代表的にはエアバッグである。座部１に膨縮袋を内蔵することにより、臀部や大腿部の施療を行うことができる。
【００２１】
側壁部２は、座部１の左右方向外方に配置される。側壁部２は、座部１とは別体であり、座部１よりも左右方向外方に位置する。マッサージ機１００において、側壁部２は、座部１の左側と右側との両方に１つずつ配置される。側壁部２の詳細については後述する。
【００２２】
背部３は、座部１の後方に配置される。詳細には、背部３は、左右方向に沿って延びるリクライニング回転軸回りに回転可能に、座部１の後端に取り付けられている。背部３には、マッサージユニット（不図示）が設けられる。マッサージユニットは、施療子と、施療子に揉み動作を行わせる揉み駆動機構と、施療子にたたき動作を行わせるたたき駆動機構と、を備える。被施療者は、座部１に着座して背部３に凭れた状態で、マッサージユニットにより上半身の施療を受けることができる。
【００２３】
基台部４は、座部１と、側壁部２の一部とを支持する。
【００２４】
足載せ部５は、座部１の前方に配置される。足載せ部５は、基台部４に取り付けられる。足載せ部５は、基台部４に対して移動不能に取り付けられてよいが、移動可能に取り付けられてもよい。足載せ部５は、被施療者の下腿部及び足を収容する。足載せ部５は、膨縮可能な膨縮袋を有する。足載せ部５は、下腿部や足の施療を行うことができる。なお、マッサージ機１００は、足載せ部５を備えなくてもよい。
【００２５】
＜２．側壁部２の詳細＞
座部１の左側と右側とに設けられる各側壁部２は、詳細には、図１に示すように第１側壁部２ａと第２側壁部２ｂとを有する。第１側壁部２ａと第２側壁部２ｂとは上下方向に並ぶ。
【００２６】
第１側壁部２ａの左右方向外方の端面は、左右方向からの平面視において四角形状である。第１側壁部２ａは、一部が座部１より上方に突出し、一部が座部１よりも下方に突出する。第１側壁部２ａは、基台部４に支持される。第２側壁部２ｂの上端は、第１側壁部２ａの上端よりも上方に位置する。また、第２側壁部２ｂの前端は、第１側壁部２ａの前端よりも後方に位置する。このために、左右の側壁部２は、左右方向外方からの平面視において、段差を有する形状になっている。
【００２７】
左右の第２側壁部２ｂのそれぞれは、後端部が背部３と繋がり、背部３と一体になっている。リクライニング機構により背部３が後方に倒れると、左右の第２側壁部２ｂも後方に倒れる。第２側壁部２ｂは、第１側壁部２ａに対して相対移動可能に設けられる。左右の第２側壁部２ｂと背部３とは、被施療者の肩、腰、及び背中を支持する背凭れ部を形成している。なお、マッサージ機１００には、第２側壁部２ｂは設けられなくてもよい。
【００２８】
側壁部２は、施療部２１と操作部２２とを有する。
【００２９】
＜２−１．施療部２１＞
施療部２１は、マッサージ機１００において、座部１に座る被施療者の特定の身体部位を施療する部分である。本実施形態では、特定の身体部位は前腕である。以下、施療部２１のことを前腕施療部２１と表現することがある。なお、特定の身体部位は、前腕でなくてもよい。例えば、特定の身体部位は肩や大腿部等であってよい。また、特定の身体部位は、複数の身体部位であってもよい。
【００３０】
図１に示すように、前腕施療部２１は、詳細には、側壁部２を構成する第１側壁部２ａと第２側壁部２ｂとのうち、第１側壁部２ａに設けられる。また、前腕施療部２１は、左右の第１側壁部２ａの両方に設けられる。左側の第１側壁部２ａに設けられる前腕施療部２１は、左腕用の前腕施療部である。右側の第１側壁部２ａに設けられる前腕施療部２１は、右腕用の前腕施療部である。左腕用の前腕施療部２１と右腕用の前腕施療部２１とは、左右反対であることを除いて、それらの構成は同様である。このため、以下、右腕用の前腕施療部２１についてのみ詳細な構成を説明し、左腕用の前腕施療部２１の詳細な構成の説明は省略する。
【００３１】
図２Ａおよび図２Ｂは、右腕用の前腕施療部２１の周辺を示す概略平面図である。図２Ａおよび図２Ｂは、上から見た場合の平面図である。前腕施療部２１は開閉可能に設けられる。図２Ａは、前腕施療部２１が閉じた状態を示す。図２Ｂは、前腕施療部２１が開いた状態を示す。図２Ｂにおいて、破線は前腕施療部２１に配置された右腕の前腕ＦＡを示す。
【００３２】
図１、図２Ａ、および、図２Ｂに示すように、前腕施療部２１は、支持部２１１と、扉部２１２と、規制部２１３とを備える。
【００３３】
支持部２１１は、上壁２１１ａと、前壁２１１ｂと、横壁２１１ｃとを有する。上壁２１１ａは、第１側壁部２ａの左右方向の中間に位置する仕切壁２３の上部から左右方向内方に延びる。仕切壁２３は、前後方向且つ上下方向に延びる。前壁２１１ｂは、仕切壁２３の前部から左右方向内方に延びる。横壁２１１ｃは、上壁２１１ａの左右方向内方の端部から下方に延びる。横壁２１１ｃの前端は、前壁２１１ｂの左右方向内方の端部と繋がる。前壁２１１ｂと横壁２１１ｃとの一部には、横壁２１１ｃの後端から前壁２１１ｂの一部にまで延びる切欠部２１４が設けられている。
【００３４】
扉部２１２は、前後方向に延びる板状である。詳細には、扉部２１２は、前部が外方に向けて折れ曲がっている。扉部２１２の前部には、上下方向に延びる貫通孔２１２ａが設けられている。貫通孔２１２ａには、前壁２１１ｂに固定される軸部２１５が挿入され、扉部２１２は、軸部２１５を中心として回転可能に支持部２１１に支持される。扉部２１２が閉じた状態において、扉部２１２の前方部分は切欠部２１４に嵌った状態になる（図１参照）。
【００３５】
規制部２１３は、第１側壁部２ａの仕切壁２３から左右方向内方に延びる。規制部２１３は、上壁２１１ａより下方に位置する。規制部２１３の下方には空間が形成されている。規制部２１３は、扉部２１２の一方向の回転を規制する。図２Ａおよび図２Ｂにおいて、規制部２１３は、扉部２１２の反時計回り方向の回転を規制する。扉部２１２の上端と規制部２１３の上端とは、上下方向の高さ位置が同じである。
【００３６】
前腕施療部２１において、扉部２１２が規制部２１３に接触している状態が閉じられた状態（図２Ａの状態）である。なお、扉部２１２は、例えばフック、マグネット、バネ等を利用して、規制部２１３と接触した状態（閉じた状態）の維持と解除とができることが好ましい。前腕施療部２１において、扉部２１２が、軸部２１５周りに回転されて規制部２１３から離れた状態が開かれた状態（図２Ｂの状態）である。扉部２１２は、横開き式である。扉部２１２が開かれる方向に回転できる範囲も一定の範囲を超えないように構成することが好ましい。また、扉部２１２が所定量回転した位置において、扉部２１２の位置の固定と解除とができることが好ましい。
【００３７】
被施療者の前腕を施療する場合には、図２Ｂに示すように前腕施療部２１が開かれた状態とされ、扉部２１２と仕切壁２３との間に前腕ＦＡが入れられる。前腕施療部２１は、不図示の膨縮可能な膨縮部を有し、膨縮部を用いて前腕ＦＡの施療を行うことができる。なお、前腕ＦＡの施療の際に、扉部２１２が被施療者の身体の一部（大腿部や臀部等）に接触するようにし、当該接触部分にも施療が及ぶようにしてもよい。
【００３８】
なお、本実施形態では、前腕施療部２１が第１側壁部２ａの左右方向内方に設けられる構成とした。ただし、これは例示であり、前腕施療部２１は第１側壁部２ａの左右方向の外方に設けられる構成としてもよい。施療部２１が側壁部２の左右方向内方に設けられる場合と、左右方向外方に設けられる場合とのいずれの場合においても、施療部２１は、左右方向に開閉可能に設けられてよい。前者の場合には、施療部２１が左右方向に開閉可能に設けられることで、施療部２１による施療効果を複数の身体部位に及ぼすことができる。後者の場合には、マッサージ機１００を使用しない場合において、マッサージ機１００の左右方向の幅を狭くすることができる。
【００３９】
＜２−２．操作部２２＞
操作部２２は、被施療者からの操作指令を受け付けるために設けられる。操作部２２は、例えば押圧により可動部が動く機械式の入力キー等の入力手段を有する。操作部２２は、入力手段の他、例えば液晶ディスプレイや有機ＥＬディスプレイ等の表示手段を含んでもよい。操作部２２に表示手段が含まれる構成とする場合には、入力手段は表示手段と一体的に設けられるタッチパネルであってもよい。入力手段は、例えば機械式の入力キーとタッチパネルとの組み合わせ等、複数種類の入力手段を含んでもよい。操作部２２の構成例については後述する。
【００４０】
図３は、操作部２２の周辺を示す概略平面図である。図３は、上から見た図である。操作部２２は、側壁部２に固定配置される。操作部２２は、詳細には、操作面を露出させて側壁部２に固定配置される。操作部２２は、側壁部２から取り外すことはできない。本実施形態では、操作部２２は、左右の側壁部２のうち、右側の側壁部２にのみ設けられる。ただし、操作部２２は、左側の側壁部２にのみ設けられてもよい。また、操作部２２は、左右の側壁部２の両方に設けられてもよい。
【００４１】
操作部２２は、施療部２１に近接する。操作部２２は、施療部２１に接してもよいし、施療部２１に接しなくてもよい。操作部２２は、施療部２１の左右方向外方又は内方に固定配置される。本構成では、操作部２２は施療部２１の近くに存在する。すなわち、操作部２２は、被施療者の身体の近くにあり、操作し易い。また、操作部２２が側壁部２に固定配置されているために、被施療者は、操作部２２の位置を施療開始前にいちいち調整する必要がなく、マッサージ機１００の操作を快適に行うことができる。
【００４２】
本実施形態では、操作部２２は、右腕用の前腕施療部２１に近接して配置される。このために、操作部２２は、右側の側壁部２を構成する第１側壁部２ａと第２側壁部２ｂとのうち、第１側壁部２ａに設けられている。ただし、操作部２２は、施療部の左右方向外方又は内方に固定配置されればよいために、側壁部２に設けられる施療部の位置によっては、第２側壁部２ｂに設けられてもよい。例えば、操作部２２は、第２側壁部２ｂの前面に配置されてよい。
【００４３】
本実施形態では、左右の第２側壁部２ｂの左右方向内方には、肩施療部６が設けられている。すなわち、側壁部２は肩施療部６も有する。肩施療部６は、座部１に座る施療者の肩に接触することが可能に設けられる。肩施療部６には、膨縮可能な膨縮袋が内蔵され、被施療者の肩の施療を行うことが可能になっている。操作部２２は、肩施療部６に近接して配置されてもよい。操作部２２は、肩施療部６の左右方向外方に配置されてもよい。なお、操作部２２は、左右の第２側壁部２ｂのうちの少なくとも一方に配置されてもよい。
【００４４】
本実施形態では、操作部２２は、施療部２１の左右方向外方に配置される。これによれば、施療部２１よりも左右方向外方に施療部２１を保護する保護部（側壁部２の一部）を設けつつ、当該保護部に操作部２２を配置することができる。また、操作部２２は、側壁部２の上面に配置される。詳細には、操作部２２は、第１側壁部２ａの上面２ａＵに配置される。これによれば、座部１に座る被施療者から操作部２２を視認し易い。なお、操作部２２は、施療部２１の左右方向内方に配置されてよい。この場合には、施療部２１は、側壁部２の左右方向外方に設けられてよい。
【００４５】
また、操作部２２の前後方向の位置は、特に限定されない。本実施形態では、第１側壁部２ａの前端寄りに配置している。これによれば、座部１に座る被施療者から見やすい位置に操作部２２を配置できる。ただし、操作部２２は、図３に破線で示すように、第１側壁部２ａの後端寄りに配置してもよい。これによれば、第１側壁部２ａの前方に操作部２２に触れることなく手を置くことができ、被施療者は、操作部２２を誤って触ることなく容易に立ち上がることができる。また、操作部２２を第１側壁部２ａの後端寄りに配置することにより、背部３がリクライニング機能により後方に倒された場合でも、操作部２２を見易くすることができる。
【００４６】
図４は、操作部２２が設けられる右側の第１側壁部２ａの一部を前方から見た概略平面図である。図４には、理解を容易とするために座部１も示されている。図４に示すように、側壁部２は、左右方向内方に向かうにつれて高さが低くなる傾斜部２４を上面２ａＵに有する。詳細には、第１側壁部２ａの上面に傾斜部２４が設けられる。本実施形態では、傾斜部２４は平面であるが、湾曲した面であってもよい。
【００４７】
操作部２２は、傾斜部２４に配置されている。これによれば、座部１に座る被施療者からの操作部２２の視認性を向上することができる。また、これによれば、操作部２２の操作性を向上することができる。
【００４８】
＜３．マッサージ機１００の操作に関する詳細＞
図５は、本発明の実施形態に係るマッサージ機１００の構成を示すブロック図である。図５に示すように、マッサージ機１００は、上述の操作部２２の他、制御部１０１と、各種の駆動部１０２と、通信部１０３とを備える。
【００４９】
制御部１０１は、マッサージ機１００の全体を制御する。制御部１０１は、例えば、ＣＰＵ（Central Processing Unit）、ＲＯＭ（Read Only Memory）、ＲＡＭ（Random Access Memory）、Ｉ／Ｏ（input/output）回路部等を備えるマイクロコンピュータ（マイコン）によって構成される。
【００５０】
制御部１０１によって制御される各種の駆動部１０２には、例えば、足載せ部５、肩施療部６、前腕施療部２１等に設けられる膨縮袋を膨縮させる駆動部が含まれる。また、制御部１０１によって制御される各種の駆動部１０２には、背部３が有するマッサージユニットの施療子を駆動させる駆動部、および、リクライニング機構を駆動させる駆動部が含まれる。
【００５１】
制御部１０１は、操作部２２から入力された操作指令に応じて各種の駆動部１０２を適宜駆動させる。本実施形態において、操作部２２は、自機（マッサージ機１００）が外部から受付可能な全操作のうちの一部の操作を受付可能に設けられる。マッサージ機１００が外部から受付可能な操作内容には、例えば、電源のオンオフ、緊急停止の実行、施療の開始、リクライニング位置の調整、マッサージ（施療）箇所の設定、マッサージの強度の設定、マッサージの時間の設定、および、マッサージの仕方（マッサージコース）の設定が含まれる。一部の操作は、座部１に座った状態で必要となる最低限の操作であってよい。一部の操作には、少なくとも緊急停止操作が含まれることが好ましい。
【００５２】
なお、操作部２２は、自機が外部から受付可能な全操作を受付可能に設けられてもよい。このような構成は、マッサージ機１００において受付可能な操作が少ない場合に有効である。マッサージ機１００において受付可能な操作が多い場合には、本実施形態のように、操作部２２は、一部の操作を受付可能に設けられることが好ましい。
【００５３】
図６は、本実施形態の操作部２２の構成を示す概略図である。操作部２２は、緊急停止キー２２０１と、スタートキー２２０２と、リクライニング調整キー２２０３と、表示部２２０４とを有する。
【００５４】
緊急停止キー２２０１は、マッサージ機１００による施療が実行されている途中で、施療を強制終了させるための押しボタンである。スタートキー２２０２は、マッサージ機１００による施療を開始させるボタンである。リクライニング調整キー２２０３は、背部３の前後方向の傾きを調整するための押しボタンである。リクライニング調整キー２２０３は、背部３を前方に持ち上げるためのキー２２０３ａと、背部３を後方に倒すためのキー２２０３ｂとが含まれる。
【００５５】
表示部２２０４には、簡単なメッセージが表示される。例えば、表示部２２０４には、施療の開始が可能か否かの表示や、エラーが発生した場合のエラー内容の表示等が行われる。
【００５６】
本実施形態では、マッサージ機１００は、操作部２２とは別の移動可能に設けられる操作装置により操作可能に設けられる。以下、移動可能に設けられる操作装置のことを非固定型の操作装置と表現することがある。マッサージ機１００は、詳細には、自機が外部から受付可能な全操作のうち、少なくとも前述の一部の操作以外の残りの操作を、非固定型の操作装置により受付可能に設けられる。これによれば、マッサージ機１００を用いた施療条件の設定等の細かな設定について、被施療者等は、例えば手元に配置した非固定型の操作装置を見ながら入力することができる。また、被施療者等は、座部１に座りながら、或いは、座部１とは異なる位置に居ながら非固定型の操作装置により操作指令を入力することができる。
【００５７】
なお、非固定型の操作装置は、操作部２２で受付可能な一部の操作のうちの少なくとも一部を受付可能に設けられてよい。また、非固定型の操作装置は、自機が外部から受付可能な全操作を受付可能に設けられてもよい。
【００５８】
本実施形態では、操作装置（非固定型の操作装置）は携帯端末２００である。携帯端末２００は、マッサージ機１００と無線通信により操作指令を入力できる携帯型の端末装置であればよく、例えばスマートフォンやタブレット端末等であってよい。また、携帯端末２００は、インターネット接続できないマッサージ機１００専用の携帯端末であってもよい。また、非固定型の操作装置は、制御部１０１と有線により繋がるリモートコントローラであってもよい。
【００５９】
通信部１０３は、携帯端末２００と無線通信を行う。無線通信の方式は特に限定されない。無線通信の方式は、例えばＷｉ−Ｆｉ（登録商標）を用いた方式や、Ｂｌｕｅｔｏｏｔｈ（登録商標）を用いた方式等であってよい。携帯端末２００により入力された操作指令は、通信部１０３を介して制御部１０１に入力される。制御部１０１は、携帯端末２００から入力された操作指令に応じて各種の駆動部１０２を適宜駆動させる。
【００６０】
本実施形態の構成によれば、被施療者等は、例えばマッサージ機１００用の所定のアプリケーションソフトウェアがインストールされたスマートフォン等の携帯端末２００により、マッサージ機１００における施療の条件設定等を行うことができる。携帯端末２００が使用される構成であり、被施療者等は、マッサージ機１００から離れた位置でも入力操作を行うことができるために便利である。一方で、マッサージ機１００には、緊急停止やスタート等の座部１に座った状態で必要となる主要な操作を受け付ける操作部２２が設けられている。このために、被施療者は、操作部２２による操作指令の入力と、携帯端末２００による操作指令の入力とを状況に応じて使い分けてマッサージ機１００の操作を快適に行うことができる。
【００６１】
＜４．留意事項＞
本明細書中に開示されている種々の技術的特徴は、上記実施形態のほか、その技術的創作の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。また、本明細書中に示される複数の実施形態及び変形例は可能な範囲で適宜組み合わせて実施されてよい。
【符号の説明】
【００６２】
１・・・座部
２・・・側壁部
２１・・・前腕施療部（施療部）
２２・・・操作部
２４・・・傾斜部
１００・・・マッサージ機
１０３・・・通信部
２００・・・携帯端末
【図１】
2020203026.tif 000003
【図２Ａ】
2020203026.tif 000004
【図２Ｂ】
2020203026.tif 000005
【図３】
2020203026.tif 000006
【図４】
2020203026.tif 000007
【図５】
2020203026.tif 000008
【図６】
2020203026.tif 000009